(57)【要約】      （修正有）【課題】フタと本体との密着性に優れ水が内部に入り難い構造のスライド式収納ケースを提供する。【解決手段】本体（Ａ）の両側面に形成される横に細長い凹部ｂにフタの側面内側に形成された横に細長いａの凸部をフタ部の微量な柔軟性を生かし本体にはめ込みスライド開閉できる様に構成する。また、フタ部の閉じ合わさる部分の両端の内面に設けた小さな凸部ｃは、本体端に設けた凸部で掛り止り、フタ部の端側に設けた凸部ｄが本体両端側に形成される薄い厚みｅの凸部で閉じる際に掛り止まるようにし、フタ部が閉じる合さる部分もｇの突出部とｆの溝部差込んで閉じる構造とした。【選択図】図１
0003163651.tif 000002
【実用新案登録請求の範囲】
【請求項１】
収納具が硬い素材の塗装具で、フタ部の両側面内側に横に細長く形成された凸部を本体の両側面に横に細長く形成された溝凹部に本体とフタ部の側面が合わさるように上から力ではめ込み、そのフタ部の凸部が本体の溝凹部をスライドし、開いても端で引っ掛り止まり、閉じてもフタ部の端と本体端とが合わる部分で引っ掛り止まる構造としたスライド式収納ケースである。
【請求項２】
請求項１において、木製、竹製、硬化プラスチック製などの硬い樹脂製から出来ており、フタ部の微量な柔軟性を生かして本体の溝凹部に上からはめ込み外れなくした構造で、水に濡れても水が内部に浸入し難くい密着性のある様々な形状の使用目的を多様化したスライド式収納ケースである。
【考案の詳細な説明】
【技術分野】
【０００１】スライドケースのフタのスライド構造とスライド止めに関する。
【背景技術】
【０００２】現在あるスライドケースは、錠剤入れスライドケースや箸入れなどがある。
【考案の開示】
【考案が解決しようとする課題】
【０００３】背景の技術によれば収納する物が限定されている為、フタと本体との密着性に優れた水が内部に入り難い構造の大小様々な分野の用途の物を収納できうるスライド式収納ケースを提供することを課題とした。
【課題を解決するための手段】
【０００４】前記課題を解決するために、本考案は、本体とフタが面で重なり、はめ込んで開閉する構造にし、フタ部をスライドして開いても端で止まり、閉じても本体端の側面とフタ部の端の側面が合さる部分で掛り止まるようにし、フタの閉じ合さる部分も差込んで閉じるようにすることで全体の密着性を高めることが好ましい。
【考案の効果】
【０００５】本考案のスライド収納ケース構造を用いて長短大小様々な形状のケースを多様化する事で、様々な分野の物品収納が使用可能である効果を提供。
【考案を実施するための最良の形態】
【０００６】本考案の実施形態を図面を参照して説明する。本体の両側面に形成される横に細長い凹部ｂに、フタ部の側面内側に形成された横に細長いａの凸部をフタ部の微量な柔軟性を生かし本体にはめ込み、スライド部ａとｂの密着性をスライドするに負担とならない程度のスライド開閉する構造にし、図３に示すフタ部が閉じる合さる部分の本体と重なり合う内面両サイドに形成した小さな凸部ｃと、端側に形成した凸部ｄが本体の両端側に形成される凸部ｅでスライド時に掛り止まり、又、フタ部（Ｃ）が（Ｂ）と閉じる合さる部分に形成された突出部ｆをフタ部（Ｂ）の閉じる合さる部分内側の溝ｇに差込み閉じることによって雨水に濡れても水が内部に入り難くしたことを特徴としたスライド式収納ケースである。
【実施例】
【０００７】本体とフタは木製、竹製、硬化プラスチック製などの他に硬い樹脂製からなり、フタ部が２つの物と一つの物を有し、四角柱、数角からなる角柱、半角柱、半円柱、楕円柱、半楕円柱、などの長短大小の形状の物を有したスライド式収納ケースである。
【図面の簡単な説明】
【０００８】
【図１】実施形態を示す斜視図である。
【図２】本体とフタの端から見た断面図である。
【図３】本体とフタの側面平面図である。
【符号の説明】
【０００９】（Ａ）  本体、
（Ｂ）（Ｃ）  フタ
ａ  フタのスライド凸部
ｂ  本体のスライド凹部
ｃ  フタの内側にある凸部
ｄ  フタの内側端にある凸部
ｅ  本体の両端にある凸部
ｆ  フタの内側の刺込み側
ｇ  フタの刺込み溝側
【図１】
0003163651.tif 000003
【図２】
0003163651.tif 000004
【図３】
0003163651.tif 000005
【手続補正書】
【提出日】平成22年7月30日(2010.7.30)
【手続補正１】
【補正対象書類名】実用新案登録請求の範囲
【補正対象項目名】全文
【補正方法】変更
【補正の内容】
【実用新案登録請求の範囲】
【請求項１】
収納具が竹や硬化プラスチック素材で、フタ部の両側面内側に横に細長く形成された凸部が本体の両側面に横に細長く形成された溝凹部をスライドし、開いても端で引っ掛り止まり、閉じてもフタ部の端と本体端とが合わる部分で掛り止まる構造のスライド式収納ケース。
【請求項２】
請求項１において、本体とフタとの合わさる外部面が一体化し、二つのフタを引き合って開き押し合って閉じ、フタの閉じ合わさる部分も片側のフタの突起部が片方のフタの内部に交差し閉じる構造で、水に濡れても水が内部に浸入し難くい密着性のあるスライド式収納ケース。
【手続補正２】
【補正対象書類名】明細書
【補正対象項目名】全文
【補正方法】変更
【補正の内容】
【考案の詳細な説明】
【技術分野】
【０００１】スライドケースのフタのスライド構造とスライド止めに関する。
【背景技術】
【０００２】現在あるスライドケースは、錠剤入れスライドケースや箸入れなどがある。
【考案の開示】
【考案が解決しようとする課題】
【０００３】物品を取り出しやすくし、フタと本体とが合さる面が一体化した密着性に優れ水が内部に入り難い構造を提供することを課題としたスライド式収納ケース。
【課題を解決するための手段】
【０００４】前記課題を解決するために、本考案は、本体にはめ込んだ２つのフタを互いに引き合ってスライド開閉する構造で、２つのフタ部を開いても端で外れず閉じても本体端掛り止まるようにし、２つのフタが閉じ合さる部分も差込んで閉じるようにすることで全体の密着性を高めた。
【考案の効果】
【０００５】本考案のスライド収納ケース構造を用いる事により物品の出し入れが容易であり、水にも濡れず保存状態のいい物品収納ができる効果を提供。
【考案を実施するための最良の形態】
【０００６】本考案の実施形態を図面を参照して説明する。（Ｂ）（Ｃ）２つのフタ部の内部両側面に形成された横に細長いａの凸部が本体の両外側面に形成される横に細長い凹部ｂをスライド開閉する構造で、（Ｂ）と（Ｃ）のフタ部が閉じ合さる部分の内面と端側に形成した凸部ｃが本体（Ａ）の端に形成される凸部でスライド時に掛り止まることで外れず、フタの両端も本体の端で掛かり止まり、（Ｃ）のフタの閉じ合わさる部分の突出部ｅを（Ｂ）のフタの内側に差込んで閉じ合さるようにし、密着性を高め濡れても水が内部に入り難くいことを特徴としたスライド式収納ケース。
【実施例】
【０００７】本体とフタは竹製、硬化プラスチック製などの他に硬い樹脂製からなり、フタ部が２つの物と一つの物を有し、四角柱、数角からなる角柱、半角柱、半円柱、楕円柱、半楕円柱、などの長短大小の形状の物を有したスライド式収納ケース。
【図面の簡単な説明】
【０００８】
【図１】実施形態を示す斜視図
【符号の説明】
【０００９】  （Ａ）  本体、
（Ｂ）（Ｃ）  フタ
ａ  本体の凹部をスライドするフタ内部側面の凸部
ｂ  フタがスライドする本体の凹部
ｃ  フタの内側内部の掛かり止まる小さな凸部
ｄ  フタの両端にある掛かり止まる凸部
ｅ  フタが合さる部分の片側の突起部
【手続補正３】
【補正対象書類名】図面
【補正対象項目名】全図
【補正方法】変更
【補正の内容】
【図１】
0003163651.tif 000006